(57)【要約】【課題】除霜ヒータで加熱して冷却器の除霜を行う場合において冷却器が部分的に過剰昇温することを防止する。【解決手段】除霜運転の始動時から除霜ヒータ２８への通電とその停止を交互に行い、かつ除霜サーミスタ４２で検知された冷却器２５の温度が上昇するのに従い、除霜ヒータ２８への通電時間を減少させる通電制御部４５が設けられる。通電制御部４５には、複数に区分された温度帯Ｉ〜Ｖごとに除霜ヒータ２８への通電時間ｔａと停止時間ｔｂとが設定されたテーブルＸがデータとして格納されたデータ格納部４６と、所定のタイミングで除霜サーミスタ４２の検知温度Ｔを取り込む検知温度取込部４７と、検知温度Ｔの取り込みに伴いテーブルＸから対応した通電時間ｔａと停止時間ｔｂとを読み取って出力する通電時間出力部４８とが具備される。【選択図】図４
2010216680.tif 000002
【特許請求の範囲】
【請求項１】
冷却器に装着された除霜ヒータへの通電により同冷却器を加熱して着霜を除去する除霜運転を行い、前記冷却器の温度が所定値に達したところで除霜運転を終了するようにした冷却貯蔵庫の除霜制御方法であって、
除霜運転の始動時から前記除霜ヒータへの通電とその停止を交互に行い、かつ前記冷却器の温度が上昇するのに従い前記除霜ヒータへの通電時間を次第に減少させることを特徴とする冷却貯蔵庫の除霜制御方法。
【請求項２】
冷却器と、この冷却器に装着された除霜ヒータと、前記冷却器の温度を検知する温度センサとが具備され、前記除霜ヒータへの通電により前記冷却器を加熱して着霜を除去する除霜運転を行い、前記温度センサの検知温度が所定値に達したところで除霜運転を終了するようにした冷却貯蔵庫において、
除霜運転の始動時から前記除霜ヒータへの通電とその停止を交互に行い、かつ前記温度センサで検知された前記冷却器の温度が上昇するのに従い前記除霜ヒータへの通電時間を減少させるヒータ通電制御手段が設けられていることを特徴とする冷却貯蔵庫。
【請求項３】
前記ヒータ通電制御手段には、
前記冷却器の温度が複数の温度帯に区分され、各温度帯ごとに前記除霜ヒータへの通電時間が低温度帯から高温度帯に向けて次第に短くなる形態で設定されたデータを格納したデータ格納部と、
所定のタイミングで前記温度センサの検知温度を取り込む検知温度取込部と、
検知温度の取り込みに伴い前記データから対応した前記通電時間を読み取って出力する通電時間出力部と、
が具備されていることを特徴とする請求項２記載の冷却貯蔵庫。
【請求項４】
前記データに関し、氷点下の温度帯では、通常の通電時間に加え同通電時間よりも長い初回通電用の通電時間が設定され、除霜運転開始後の初めの検知温度の取り込み時には、データからは初回通電用の通電時間が読み取られ、２回目以降の場合には通常の通電時間が読み取られることを特徴とする請求項３記載の冷却貯蔵庫。
【請求項５】
先の除霜運転が終了したのち今回の除霜運転が開始するまでの間における当該冷却貯蔵庫の扉の開閉回数を計数する扉開閉計数手段と、その計数値に基づいて前記データにおける通電時間の値を補正する通電時間補正手段とが設けられていることを特徴とする請求項３または請求項４記載の冷却貯蔵庫。
【発明の詳細な説明】
【技術分野】
【０００１】
本発明は、除霜制御に改良を加えた冷却貯蔵庫に関する。
【背景技術】
【０００２】
業務用の冷蔵庫等では、定期的に除霜運転を行う機能を備えたものがある（例えば、特許文献１参照）。このものは、庫内に装備された冷却器にシーズヒータからなる除霜ヒータが装着され、除霜運転時には、除霜ヒータに通電して同冷却器を加熱することにより着霜を溶融除去し、この間、温度センサにより冷却器の温度を検知しており、検知温度が所定値（例えば１５℃）に達したところで着霜が無くなったと見なして、除霜運転を終了するようになっている。
【先行技術文献】
【特許文献】
【０００３】
【特許文献１】特開２００４−３７９５号公報
【発明の概要】
【発明が解決しようとする課題】
【０００４】
ところで、除霜ヒータの具体的な配設構造は、冷却器の下面あるいはこれに加えて吸込側の面等の着霜しやすい面において、フィンの端縁に形成されたＵ溝に嵌められつつ蛇行状に回曲されて配設されている。端的には、除霜ヒータは冷却器の一部に装着されているのであるから、除霜ヒータの装着位置からの遠近の場所により温度差ができる。例えば、最も温度が上がり難い箇所がプラス温度域に到達したころには、４０℃を越える箇所も出てくる。そうすると、付着した水分が蒸発して当該冷却器を収容した冷却器室から漏れ出、例えば庫内の天井面に付着して冷却運転に移ったところで再氷結し、除霜運転が行われるたびにこれが繰り返されることで次第に成長し、ついには滴が落下する事態が起きることも懸念される。  
本発明は上記のような事情に基づいて完成されたものであって、その目的は、除霜ヒータで加熱して冷却器の除霜を行う場合において冷却器が部分的に過剰昇温することを防止するところにある。
【課題を解決するための手段】
【０００５】
本発明の冷却貯蔵庫の除霜制御方法は、冷却器に装着された除霜ヒータへの通電により同冷却器を加熱して着霜を除去する除霜運転を行い、前記冷却器の温度が所定値に達したところで除霜運転を終了するようにしたものであって、除霜運転の始動時から前記除霜ヒータへの通電とその停止を交互に行い、かつ前記冷却器の温度が上昇するのに従い前記除霜ヒータへの通電時間を次第に減少させるところに特徴を有する。
【０００６】
また、本発明の冷却貯蔵庫は、冷却器と、この冷却器に装着された除霜ヒータと、前記冷却器の温度を検知する温度センサとが具備され、前記除霜ヒータへの通電により前記冷却器を加熱して着霜を除去する除霜運転を行い、前記温度センサの検知温度が所定値に達したところで除霜運転を終了するようにしたものにおいて、除霜運転の始動時から前記除霜ヒータへの通電とその停止を交互に行い、かつ前記温度センサで検知された前記冷却器の温度が上昇するのに従い前記除霜ヒータへの通電時間を減少させるヒータ通電制御手段が設けられているところに特徴を有する。
【０００７】
上記構成によれば、除霜ヒータへの通電とその停止が交互に行われると、通電時には主に冷却器が加熱されることで着霜が融かされ、そのとき冷却器には場所による温度差が生じ、続いて通電が停止されている間に、冷却器の温度が全体にわたって均されるようになり、この繰り返しによって、冷却器の温度が上昇しつつ除霜が進行する。ここで、冷却器の温度が０℃以上といった高温域になるほど、一定の通電時間における昇温の度合いが大きくなる傾向を示す。そのため仮に、断続的に通電するも、各通電時間が低温域から高温域に亘って同じであるとすると、高温域に入ったところでは、場所による大きな温度差ができ、その温度差を解消しようとすると、引き続く停止時間を長く取る必要があって、除霜運転の時間が不必要に長くなる結果を招く。
【０００８】
その点本発明では、除霜ヒータへの通電による昇温機能が大きくなる高温域となるほど、通電時間を減少するようにしたから、場所による温度差を小さいものに留めることができる。そのため、引き続く停止時間内で温度を平均化でき、最終的に冷却器が除霜完了と擬制する温度まで上昇して除霜運転が終了した際にも、全体が平均に昇温されて部分的に突出した高温となることが防止される。そのため、冷却器で蒸気が生成されて立ち上るような事態が回避される。  
また、高温域において温度の平均化を図るべく通電の停止時間を長く取る必要がないから、除霜運転の時間が不必要に長くなることを防止できる。  
さらに、不必要に高温となる部分を設けることなく除霜ができるということは、消費エネルギのロスも小さく抑えて、効率的である。
【０００９】
また、以下のような構成としてもよい。  
（１）前記ヒータ通電制御手段には、前記冷却器の温度が複数の温度帯に区分され、各温度帯ごとに前記除霜ヒータへの通電時間が低温度帯から高温度帯に向けて次第に短くなる形態で設定されたデータを格納したデータ格納部と、所定のタイミングで前記温度センサの検知温度を取り込む検知温度取込部と、検知温度の取り込みに伴い前記データから対応した前記通電時間を読み取って出力する通電時間出力部と、が具備されている。  
除霜運転が開始されてから所定のタイミングで検知温度が取り込まれると、そのつどデータから同検知温度の属する温度帯の通電時間が読み取られ、次の除霜ヒータへの通電には読み取られた通電時間だけ通電制御される。
【００１０】
（２）前記データに関し、氷点下の温度帯では、通常の通電時間に加え同通電時間よりも長い初回通電用の通電時間が設定され、除霜運転開始後の初めの検知温度の取り込み時には、データからは初回通電用の通電時間が読み取られ、２回目以降の場合には通常の通電時間が読み取られる。  
除霜運転開始時において冷却器の温度が氷点下のときには、確実に一定量以上の着霜があると判断できるため、最初に除霜ヒータに通電する場合には通電時間をより長く取ることによって、着霜を迅速に溶融することを意図している。
【００１１】
（３）先の除霜運転が終了したのち今回の除霜運転が開始するまでの間における当該冷却貯蔵庫の扉の開閉回数を計数する扉開閉計数手段と、その計数値に基づいて前記データにおける通電時間の値を補正する通電時間補正手段とが設けられている。  
扉の開閉回数が多いほど着霜量が多くなると言え、扉の開閉回数に応じて除霜ヒータへの通電時間の多少を補正することによって、より適正な除霜動作を期することができる。
【発明の効果】
【００１２】
本発明によれば、除霜ヒータで加熱して冷却器の除霜を行う場合において冷却器が部分的に過剰昇温することを防止することができる。
【図面の簡単な説明】
【００１３】
【図１】本発明の実施形態１に係るプレハブ冷蔵庫の一分切欠斜視図
【図２】室内機の概略断面図
【図３】通電制御機構部分のブロック図
【図４】通電制御のタイミングチャートとテーブル
【図５】冷却器の各部位の温度変化を示すグラフ
【図６】実施形態２に係る制御機構部分のブロック図
【発明を実施するための形態】
【００１４】
＜実施形態１＞
本発明の実施形態１を図１ないし図５によって説明する。この実施形態では、プレハブ冷蔵庫に適用した場合を例示している。  
本実施形態のプレハブ冷蔵庫１０は、図１に示すように、複数枚の断熱性のパネルを組み立てることで方形の箱形に形成された冷蔵庫本体１１を備えており、内部が貯蔵室１２となっているとともに、前面には、断熱性の扉１３が揺動開閉可能に装着されている。貯蔵室１２内の天井部分には、後記するように冷却器２５（蒸発器）と冷却ファン３０とが装備された室内機１５が配設されている一方、本体１１の外部には、圧縮機、空冷式の凝縮器等からなる冷凍装置が装備された室外機１６が設置され、冷却器２５と冷凍装置との間が冷媒配管１７により循環接続されて、周知の冷凍回路が構成されている。
【００１５】
室内機１５は、図２にも示すように、貯蔵室１２内の奥行方向に細長いケーシング２０を備えており、後面（図２の右面）のほぼ全面にわたって吸込口２１が形成されている一方、前面には、ベルマウスからなる複数個の吹出口２２が形成されている。ケーシング２０内における吸込口２１の内側には冷却器２５が配されているとともに、各吹出口２２には、ファンモータからなる冷却ファン３０が配されている。
【００１６】
また除霜運転用として、冷却器２５における吸込面となる後面２５Ａと、下面２５Ｂとに、シーズヒータからなる除霜ヒータ２８が装着されている。より詳細には、冷却器２５はフィン−チューブ式のものであって、その後面２５Ａと下面２５Ｂとにはそれぞれ、除霜ヒータ２８が、フィンとエンドプレート２６の端縁に切り欠き形成されたＵ溝２７に嵌められつつ蛇行状に回曲されて配設されている。  
一方、ケーシング２０の底面はドレンパン３２となっていて、後方（図２の右側）に向けて下り勾配となった傾斜状に形成されており、その下縁に設けられた排水口３３からドレン管３４が垂設されて庫外に導かれている。
【００１７】
冷却運転は、冷凍装置（圧縮機）と冷却ファン３０とが駆動されることによって行われ、図２の矢線に示すように、ケーシング２０の後面の吸込口２１から吸い込まれた庫内空気が、冷却器２５内を前方に流通する間に熱交換により冷気が生成され、この冷気が吹出口２２から天井面に沿うように吹き出されるといった循環流が生じることにより、庫内が冷却される。この間、吸込口２１付近に設けられた庫内サーミスタ３５で検知された貯蔵室１２内の温度が、予め定められた庫内設定温度よりも低くなると、冷凍装置と冷却ファン３０の駆動が停止され、逆に貯蔵室１２内の温度が庫内設定温度よりも高くなると、冷凍装置と冷却ファン３０が駆動されるといったことが繰り返され、貯蔵室１２内がほぼ庫内設定温度に維持されるようになっている。
【００１８】
冷却運転の途中で除霜運転が行われる。除霜運転は、オールデイタイマ等のタイマに基づいて除霜スイッチ４０（図３）がオンすることにより例えば３時間ごとに実行され、詳しくは後記するが、冷凍装置と冷却ファン３０とを停止した状態で、除霜ヒータ２８に通電して冷却器２５を加熱することによって行われ、除霜水はドレンパン３２で受けられたのち、ドレン管３４を流下して庫外に排水されるようになっている。  
冷却器２５における例えばエンドプレート２６には、同冷却器２５の温度を検知する除霜サーミスタ４２が取り付けられており、除霜運転中において、除霜サーミスタ４２の検知温度、すなわち冷却器２５の温度が予め定められた温度（除霜完了温度）に達したら、着霜が無くなったと見なされて、除霜運転が終了するようになっている。
【００１９】
本実施形態では、上記した除霜運転の制御に工夫が凝らされており、以下それについて説明する。端的には除霜運転の間、除霜ヒータ２８への通電を断続的に行い、かつ冷却器２５の温度が上昇するのに従い除霜ヒータ２８への通電時間を減少させるようになっており、図３に示す通電制御部４５によって制御される。同通電制御部４５には、データ格納部４６、検知温度取込部４７及び通電時間出力部４８が設けられている。
【００２０】
冷却器２５の温度は、上記した除霜サーミスタ４２を利用して検知されるようになっている。図４に示すように、除霜サーミスタ４２の検知温度Ｔは、５段階の温度帯Ｉ〜Ｖに区分される（Ｉ：Ｔ＜−２５℃，II：−２５℃≦Ｔ＜−１５℃，III：−１５℃≦Ｔ＜−５℃，IV：−５℃≦Ｔ＜５℃，Ｖ：Ｔ≧５℃）。  
そして、各温度帯Ｉ〜Ｖごとに、１サイクルの通電時間ｔａと停止時間ｔｂとが予め定められる。ここで、通電時間ｔａについては、除霜運転開始後に初めて通電される場合に適用される通電温度ｔａ1（初回用通電時間ｔａ1）と、２回目以降の通電に適用される場合の通電時間ｔａ2（通常通電時間ｔａ2）とが設定される。より詳細には、氷点下の低温度帯である温度帯Ｉ〜IIIでは、初回用通電時間ｔａ1の方が通常通電時間ｔａ2よりも長く設定されるが、高温度帯である温度帯IV，Ｖでは、初回用通電時間ｔａ1と通常通電時間ｔａ2とは同じである。言い換えると、氷点下の温度帯Ｉ〜IIIでは、通常通電時間ｔａ2に加え同通電時間ｔａ2よりも長い初回用通電時間ｔａ1が設定されていることになる。
停止時間ｔｂについては、全温度帯Ｉ〜Ｖでそれぞれ一定値である。
上記のように、各温度帯Ｉ〜Ｖごとに、通電時間ｔａ1，ｔａ2と停止時間ｔｂとが定められたテーブルＸが、データとしてデータ格納部４６に格納されている。
【００２１】
検知温度取込部４７は、所定のタイミングごとに除霜サーミスタ４２の検知温度Ｔを取り込むことに機能する。初回の取り込みのタイミングは、除霜運転開始時における除霜サーミスタ４２の検知温度Ｔである。２回目以降の取り込みのタイミングは、直前の１サイクルにおける停止時間ｔｂの終了時の検知温度Ｔである。  
通電時間出力部４８は、検知温度Ｔが取り込まれた場合に、データ格納部４６に格納されたデータとしてのテーブルＸから、同検知温度Ｔ（温度帯Ｉ〜Ｖ）に対応した通電時間ｔａと停止時間ｔｂの１サイクルが読み取られ、引き続く除霜ヒータ２８の通電と停止の１サイクルを、読み取られた通電時間ｔａと停止時間ｔｂとで実行するように機能する。
【００２２】
続いて、本実施形態の作動の一例を、図４のタイミングチャートを参照して説明する。
除霜運転が開始され、そのときの除霜サーミスタ４２の検知温度Ｔが「−３１℃」であると、テーブルＸから温度帯Ｉに対応した初回通電時間ｔａ1「３分」と停止時間ｔｂ「１分２０秒」が読み取られて、除霜ヒータ２８に対して同時間の通電とその停止が実行される。上記の除霜ヒータ２８への通電に伴い冷却器２５が加熱されつつ付着した霜が溶融され、引き続く通電の停止の間には、冷却器２５は全体に亘って温度が均されつつ昇温して除霜が継続される。
なお、最初の除霜サーミスタ４２の検知温度が「−２０℃」であると、温度帯IIに対応して初回通電時間ｔａ1が「２分３０秒」で、停止時間ｔｂが「１分３０秒」となる。
【００２３】
初回の１サイクルの停止時間ｔｂが終了したところで、２回目の除霜サーミスタ４２の検知温度Ｔの取り込みが行われ、検知温度Ｔが例えば「−１３℃」であると、温度帯IIIに対応した通常通電時間ｔａ2「１分」と停止時間ｔｂ「１分４０秒」が読み取られて、同時間による１サイクルの通電と停止とが実行される。  
本例では、同時間の通電と停止とが２サイクル繰り返されて、その終了時の検知温度Ｔが「−２℃」となり、これにより次からは、温度帯IVに対応した通常通電時間ｔａ2「４５秒」と停止時間ｔｂ「１分５０秒」が実行される。「０℃」前後の領域では、冷却器２５の昇温が停滞若しくは微増するに留まり、したがって同時間の通電と停止とが数サイクル（本例では７サイクル）繰り返される。
【００２４】
そののち、検知温度Ｔが「７℃」になると、温度帯Ｖに対応した通常通電時間ｔａ2「３０秒」と停止時間ｔｂ「２分」が実行される。この温度帯Ｖでは、前の温度帯IVと比べて、冷却器２５の昇温が比較的早く、例えば、同時間の通電と停止とが２サイクル目に入ったところで、除霜サーミスタ４２が除霜完了温度（例えば１５℃）を検知すると、これを以て除霜ヒータ２８への通電時間制御が終了し、すなわち除霜運転が終了するところとなる。そののち、冷却運転が再開される。
【００２５】
以上のように本実施形態では、基本的には、除霜ヒータ２８への通電とその停止が交互に行われ、通電時には主に冷却器２５が加熱されることで着霜が融かされ、そのとき冷却器２５には、除霜ヒータ２８の装着位置からの遠近に起因した場所による温度差が生じ、続いて通電が停止されている間に、冷却器２５の温度が全体にわたって均されるようになり、この繰り返しによって、冷却器２５の温度が上昇しつつ除霜が進行する。ここで、冷却器２５の温度が０℃以上といった高温域になるほど、一定の通電時間における昇温の度合いが大きくなる傾向を示す。そのため仮に、断続的に通電するも、各通電時間が低温域から高温域に亘って同じであるとすると、高温域に入ったところでは、場所による大きな温度差ができ、その温度差を解消しようとすると、引き続く停止時間を長く取る必要があって、除霜運転の時間が不必要に長くなる結果となる。
【００２６】
その点この実施形態では、除霜ヒータ２８への通電による昇温機能が大きくなる高温域（高温度帯）となるほど、通電時間ｔａを減少するようにしたから、場所による温度差を小さいものに留めることができる。そのため、引き続く停止時間ｔｂ内で温度を平均化でき、最終的に冷却器２５が除霜完了と擬制する除霜完了温度（例えば１５℃）まで上昇して除霜運転が終了した際にも、全体が平均に昇温されて部分的に突出した高温となることが防止される。
【００２７】
この点に関し、除霜運転時において、冷却器２５の各部位について昇温傾向を測定したところ、図５のグラフに示すような結果が得られた。同グラフにおいて、特性線ａ〜ｉは、冷却器２５における吸込側上奥、吸込側上中央、吸込側上前、吸込側下奥、吸込側下中央、吸込側下前、吹出側上奥、吹出側上中央及び吹出側上前の都合９箇所における昇温傾向を示している。  
上記９箇所のうち、吸込側下奥、吸込側下中央及び吸込側下前の３箇所では、特性線ｄ，ｅ，ｆに示されるように、途中で温度上昇と下降を繰り返しつつ全体として緩やかに昇温する傾向を示す。  
他の６箇所では、特性線ａ，ｂ，ｃ及びｇ，ｈ，ｉに示されるように、上記した３箇所よりは少し低い温度域において、初めはやや急激に昇温したのち、途中で昇温が停滞し、終盤では緩やかに昇温する傾向を示す。
【００２８】
上記の測定結果から、各９箇所において、ほぼ同じような温度で似通った傾向を以て昇温しており、最も温度差があるときでも「１５Ｋ」程度であり、途中で最も高温となる場合でも、「２０℃」程度に留められる。  
すなわち、冷却器２５全体が平均に昇温されて部分的に突出した高温となることが防止されるから、冷却器２５に付着した水分が蒸発する事態が回避される。そのため、同蒸気が室内機１５から漏れ出て例えば貯蔵室１２の天井面に付着して、冷却運転に移ったところで再氷結し、除霜運転が行われるたびにこれが繰り返されることで氷結が成長して、ついには滴が落下するといった事態が起きることが防止される。
【００２９】
また、高温域において温度の平均化を図ることを目的として、通電の停止時間ｔｂを長く取る必要がないから、除霜運転全体の時間が不必要に長くなることが防止される。さらに、不必要に高温となる部分を設けることなく除霜ができるということは、消費エネルギのロスも小さく抑えて、効率的でもある。  
通電時間ｔａ等を決定するべく冷却器２５の温度を検知するものに、除霜完了と見なす冷却器２５の温度を検知するための除霜サーミスタ４２を兼用したから、製造コストの低減にも寄与し得る。  
なお、高温域においては、上記のように通電の停止時間ｔｂを不必要に長く取る必要はないが、それでも低温域と比べると停止時間ｔｂが長く取られている。これは、冷却器２５の温度が上昇すると、除霜ヒータ２８への通電の停止後の余熱が大きくなっていくから、この余熱を有効利用して除霜を行うことで除霜ヒータ２８への通電時間を減らしている。もって、省エネルギに寄与し得る。
【００３０】
また、除霜運転開始時において冷却器２５の温度が氷点下のときには、確実に一定量以上の着霜があると判断できる。そのため、氷点下の低温度帯である温度帯Ｉ〜IIIでは、通電時間ｔａについて、除霜運転開始後に初めて通電される場合に適用される初回用通電時間ｔａ1を、２回目以降の通電に適用される場合の通常通電時間ｔａ2とは別に設定している（初回用通電時間ｔａ1の方が通常通電時間ｔａ2よりも長い）。  
すなわち、氷点下の低温度帯Ｉ〜IIIでは、最初に除霜ヒータ２８に通電する場合には通電時間をより長く取ることによって、着霜を迅速に溶融することが可能となる。
【００３１】
＜実施形態２＞
本発明の実施形態２を図６によって説明する。  
冷却器２５への着霜の主な原因の一つに、扉１３の開閉に伴って相対的に高温の外気が庫内に流入し、これが低温の冷却器２５を流通する間に着霜が生成されるといったことが挙げられ、すなわち扉１３の開閉回数が多いほど着霜量が多くなると言える。  
そこで実施形態２では、図６に示すように、当該除霜運転が開始される前の冷却運転中において扉１３の開閉回数を計数する扉開閉計数部５０が設けられる。一方、通電時間補正部５１は、扉開閉計数部５０で計数された扉１３の開閉回数に応じて、データ格納部４６に格納されたデータの通電時間ｔａを補正するように機能する。
【００３２】
補正される対象は、図４に示すように、温度帯Ｉ〜IIIにおける初回用通電時間ｔａ1と通常通電時間ｔａ2、並びに温度帯IVの通常通電時間ｔａ2である。より詳細には、各通電時間ｔａには、補正単位（秒）が予め設定され、同補正単位に扉１３の開閉回数を乗じたものが補正値となって、元の通電時間ｔａに加算される。  
例えば、当該除霜運転の開始前の冷却運転中における扉１３の開閉回数が２回であったとすると、温度帯Ｉの補正後の初回通電時間ｔａ1は、
（補正後）初回通電時間ｔａ1＝３分＋（８．５秒＊２（回））＝３分１７秒
となる。
【００３３】
すなわち、着霜量が多くなると目される扉１３の開閉回数に応じて除霜ヒータ２８への通電時間を多く補正するようにしたから、より適正な除霜動作を期することができる。  
なお本実施形態では、補正するに当たって、乗ずる扉１３の開閉回数は、５回を上限値としている。この目的は、上限値を定めて置かないと除霜ヒータ２８の通電時間が過剰に長くなり、それに起因して冷却器２５の場所による温度差が大きくなることを防ぐためである。上限値を設けても、１回の冷却運転中（３時間程度）に扉１３が開閉される回数はせいぜい５回と考えられるため、ほとんどの場合では問題無いとの判断による。稀に扉１３の開閉が５回を越えて多量に着霜したとしても、当該除霜運転の除霜時間が長くなるだけで済み、たまに除霜時間が長くなることよりも、冷却器２５の温度差を小さく抑えて貯蔵室１２の天井面への氷結を防ぐことを優先している。
【００３４】
＜関連技術＞
本発明と同じ目的を達成するための手段として、除霜ヒータ２８の容量を可変としておき、所定時間ごとに除霜サーミスタ４２により冷却器２５の温度を計測し、冷却器２５の温度（温度帯）が上昇するのに従い、除霜ヒータ２８の容量を下げるような制御を行ってもよい。
【００３５】
＜他の実施形態＞
本発明は上記記述及び図面によって説明した実施形態に限定されるものではなく、例えば次のような実施形態も本発明の技術的範囲に含まれる。  
（１）上記実施形態では、冷却器の温度、すなわち除霜サーミスタの検知温度を５つの温度帯に区分したが、区分する数は任意である。  
（２）上記実施形態に例示した通電時間と停止時間の数値はあくまでも一例であって、冷却器の冷却能力や庫内の容量等の条件に応じて最適のものを選定することができる。
【００３６】
（３）上記実施形態では、氷点下の温度帯において、通常通電時間に加え同通電時間よりも長い初回用通電時間が設定されているが、初回用通電時間は敢えて定めなくてもよく、そのようなものも本発明の技術的範囲に含まれる。  
（４）実施形態２に例示した補正単位（秒）の数値はあくまでも一例であって他の数値であってもよく、また、複数種の数値が備えられて、プレハブ冷蔵庫の設置場所等に基づく着霜の難易によって数値を選択するようにしてもよい。
【００３７】
（５）上記実施形態では、除霜ヒータを冷却器の後面と下面とに装着した場合を例示したが、後面と下面のいずれか一方の面であったり、また他の面であったり、任意に設定することができる。  
（６）除霜サーミスタの装着箇所は、エンドプレートに限らず、例えばエンドプレートとフィンとの間に設けられた仕切板等、他の箇所であってもよい。  
（７）本発明は、上記実施形態に例示したプレハブ冷蔵庫に限らず、業務用冷蔵庫、同冷凍庫等、要は、冷却器に除霜ヒータを備えて除霜運転を行う機能を備えた冷却貯蔵庫全般に適用することができる。
【符号の説明】
【００３８】
１０…プレハブ冷蔵庫（冷却貯蔵庫）  １３…扉  １５…室内機  ２５…冷却器  ２８…除霜ヒータ  ４２…除霜サーミスタ（温度センサ）  ４５…通電制御部（ヒータ通電制御手段）  ４６…データ格納部  ４７…検知温度取込部  ４８…通電時間出力部  ５０…扉開閉計数部（扉開閉計数手段）  ５１…通電時間補正部（通電時間補正手段）  Ｔ…（除霜サーミスタ４２の）検知温度  Ｘ…テーブル（データ）  Ｉ〜Ｖ…温度帯  ｔａ…通電時間  ｔｂ…停止時間
【図１】
2010216680.tif 000003
【図２】
2010216680.tif 000004
【図３】
2010216680.tif 000005
【図４】
2010216680.tif 000006
【図５】
2010216680.tif 000007
【図６】
2010216680.tif 000008